(57)【特許請求の範囲】
【請求項１】
物体側から像側へ順に配置された、正の屈折力の第１レンズ群と、負の屈折力の第２レンズ群と、正の屈折力の第３レンズ群と、負の屈折力の第４レンズ群と、正の屈折力の第５レンズ群から成り、ズーミングに際して隣り合うレンズ群の間隔が変化するズームレンズにおいて、
前記第４レンズ群は、１枚の正レンズと１枚の負レンズを接合した接合レンズから成り、光軸と垂直方向の成分を持つ方向に移動することによって結像位置を光軸に対して垂直方向に移動させる防振群であり、前記第１レンズ群の焦点距離をｆ１、前記第２レンズ群の焦点距離をｆ２、前記第３レンズ群の焦点距離をｆ３、望遠端における全系の焦点距離をｆｔとするとき、
４．３＜ｆ１／ｆ３＜６．０
０．１５＜｜ｆ２／ｆｔ｜≦０．２３
なる条件式を満足することを特徴とするズームレンズ。
【請求項２】
前記第４レンズ群の焦点距離をｆＩＳ、望遠端における全系の焦点距離をｆｔとするとき、
０．３＜｜ｆＩＳ／ｆｔ｜＜１．５
なる条件式を満足することを特徴とする請求項１に記載のズームレンズ。
【請求項３】
広角端から望遠端へのズーミングに際して、前記第１レンズ群と前記第２レンズ群の間隔が増大し、前記第２レンズ群と前記第３レンズ群の間隔が減少し、前記第３レンズ群と前記第４レンズ群の間隔が増大し、前記第４レンズ群と前記第５レンズ群の間隔が減少するように各レンズ群が移動することを特徴とする請求項１または２に記載のズームレンズ。
【請求項４】
固体撮像素子に像を形成することを特徴とする請求項１乃至３のいずれか１項に記載のズームレンズ。
【請求項５】
請求項１乃至４のいずれか１項に記載のズームレンズと、該ズームレンズによって形成された像を受光する固体撮像素子とを有することを特徴とする撮像装置。
【発明の詳細な説明】
【技術分野】
【０００１】
本発明は、ズームレンズ及びそれを有する撮像装置に関し、ビデオカメラやデジタルスチルカメラ等の電子カメラ、フィルム用カメラ、放送用カメラ等に好適に用いられるものである。
【背景技術】
【０００２】
撮影光学系に偶発的に振動が伝わると撮影画像に画像のブレが生じる。従来、この偶発的な振動による画像のブレを補償する機構（防振機構）を具備したズームレンズが種々と提案されている。防振機構として撮影光学系（ズームレンズ）を構成するレンズ群の一部を光軸と略垂直な方向に移動させて振動による画像ブレを補償する撮影光学系が知られている。このうち、物体側から像側へ順に、正、負、正、負、正の屈折力のレンズ群より成る５群ズームレンズにおいて、第４レンズ群の全部又は一部のレンズ群を光軸と垂直方向に移動させて画像ぶれを補償するズームレンズが知られている（特許文献１、２）。
【先行技術文献】
【特許文献】
【０００３】
【特許文献１】特開２００６−２２７５２６号公報
【特許文献２】特開２００８−２１６４４０号公報
【発明の概要】
【発明が解決しようとする課題】
【０００４】
一般に撮影光学系が振動によって傾くと、撮影画像はその傾き角と撮影光学系の焦点距離に応じた量だけ変位する。このため静止画の撮像装置においては、画質の劣化を防止するために撮影時間を十分に短くしなければならないという問題があり、また動画の撮像装置においては、構図の設定を維持することが困難となるという問題がある。そのためこのような撮影の際には、撮影光学系が振動によって傾いた際にも撮影画像の変移、所謂撮影画像のブレが発生しないように補正することが必要となってくる。
【０００５】
この他、一般に撮影光学系の一部のレンズ群を振動させて撮影画像のブレをなくし、静止画像を得る機構には画像のブレの補正量が大きいことやブレ補正の為に振動させるレンズ群（防振レンズ群）の移動量や回転量が少ないことが要望されている。そして装置全体が小型であることが要望されている。
【０００６】
周知のとおり、防振レンズ群を偏心させると偏心収差が多く発生する。このため多くの場合、画像のブレを補正したときに偏心収差の発生によって画像がボケてくる。したがって防振機能を有した撮影光学系においては、防振レンズ群を光紬と直交する方向に移動させて偏心状態にしたときの偏心収差の発生量が少ないことが必要とされている。又、防振敏感度（防振レンズ群の単位移動量△Ｈに対する画像のブレの補正量△Ｘとの比△Ｘ／△Ｈ）の設定が適切であることや、画像のブレ補正の応答性を良好とするために、防振レンズ群の重量の軽減やレンズ外径の小型化等が必要とされている。
【０００７】
しかしながら、撮影光学系を大口径化した場合等では、防振レンズ群の重量が増大し、レンズ外径の小型化が困難になってくる。以上の理由により、防振機能を有するズームレンズではレンズ構成及び防振のために移動させる防振レンズ群のレンズ構成等を適切に設定することにより、防振において、偏心収差の発生量を少なくすることが重要になってくる。
【０００８】
本発明は、大口径でありながら、振動補償（防振）のための機構を具備し、振動補償時に良好な画像を得ることができるズームレンズ及びそれを有する撮像装置の提供を目的とする。
【０００９】
本発明のズームレンズは、物体側から像側へ順に配置された、正の屈折力の第１レンズ群と、負の屈折力の第２レンズ群と、正の屈折力の第３レンズ群と、負の屈折力の第４レンズ群と、正の屈折力の第５レンズ群から成り、ズーミングに際して隣り合うレンズ群の間隔が変化するズームレンズにおいて、
前記第４レンズ群は、１枚の正レンズと１枚の負レンズを接合した接合レンズから成り、光軸と垂直方向の成分を持つ方向に移動することによって結像位置を光軸に対して垂直方向に移動させる防振群であり、前記第１レンズ群の焦点距離をｆ１、前記第２レンズ群の焦点距離をｆ２、前記第３レンズ群の焦点距離をｆ３、望遠端における全系の焦点距離をｆｔとするとき、
４．３＜ｆ１／ｆ３＜６．０
０．１５＜｜ｆ２／ｆｔ｜≦０．２
なる条件式を満足することを特徴としている。
【００１０】
本発明によれば、大口径でありながら、振動補償（防振）のための機構を具備し、振動補償時に良好な画像を得ることができる防振機能を有したズームレンズが得られる。
【図面の簡単な説明】
【００１１】
【図１】本発明の実施例１のズームレンズの広角端（短焦点距離端）において無限遠物体に合焦したときのレンズ断面図
【図２】（Ａ）（Ｂ）  実施例１のズームレンズにおいて無限遠物体に合焦させたときの広角端と望遠端（長焦点距離端）における縦収差図
【図３】（Ａ）（Ｂ）  実施例１のズームレンズにおいて無限遠物体に合焦させたときでズームレンズが０．３°傾いた状態で防振させたときの広角端と望遠端における横収差図
【図４】本発明の参考例１のズームレンズの広角端において無限遠物体に合焦したときのレンズ断面図
【図５】（Ａ）（Ｂ）  参考例１のズームレンズにおいて無限遠物体に合焦させたときの広角端と望遠端（長焦点距離端）における縦収差図
【図６】（Ａ）（Ｂ）  参考例１のズームレンズにおいて無限遠物体に合焦させたときでズームレンズが０．３°傾いた状態で防振させたときの広角端と望遠端における横収差図
【図７】本発明の実施例２のズームレンズの広角端において無限遠物体に合焦したときのレンズ断面図
【図８】（Ａ）（Ｂ）  実施例２のズームレンズにおいて無限遠物体に合焦させたときの広角端と望遠端（長焦点距離端）における縦収差図
【図９】（Ａ）（Ｂ）  実施例２のズームレンズにおいて無限遠物体に合焦させたときでズームレンズが０．３°傾いた状態で防振させたときの広角端と望遠端における横収差図
【図１０】本発明の撮像装置の要部概略図
【００１２】
以下、本発明のズームレンズ及びそれを有する撮像装置の実施例について説明する。本発明のズームレンズは、物体側から像側へ順に配置された、正の屈折力の第１レンズ群と、負の屈折力の第２レンズ群と、正の屈折力の第３レンズ群と、負の屈折力の第４レンズ群と、正の屈折力の第５レンズ群からなっている。そしてズーミングに際して隣り合うレンズ群の間隔が変化する。第４レンズ群は、１枚の正レンズと１枚の負レンズを接合した接合レンズから成り、光軸と垂直方向の成分を持つ方向に移動することによって結像位置を光軸に対して垂直方向に移動させる防振群である。
【００１３】
図１は本発明の実施例１のズームレンズの広角端（短焦点距離端）において無限遠物体に合焦したときのレンズ断面図である。図２（Ａ）、（Ｂ）は実施例１のズームレンズの広角端と望遠端（長焦点距離端）において無限遠物体に合焦させたときの縦収差図である。図３（Ａ）、（Ｂ）は実施例１のズームレンズの広角端と望遠端において無限遠物体に合焦させたときでズームレンズが０．３°傾いた状態で防振させたときの横収差図である。
【００１４】
図４は本発明の参考例１のズームレンズの広角端において無限遠物体に合焦したときのレンズ断面図である。図５（Ａ）、（Ｂ）は参考例１のズームレンズの広角端と望遠端において無限遠物体に合焦させたときの縦収差図である。図６（Ａ）、（Ｂ）は参考例１のズームレンズの広角端と望遠端において無限遠物体に合焦させたときでズームレンズが０．３°傾いた状態で防振させたときの横収差図である。
【００１５】
図７は本発明の実施例２のズームレンズの広角端において無限遠物体に合焦したときのレンズ断面図である。図８（Ａ）、（Ｂ）は実施例２のズームレンズの広角端と望遠端において無限遠物体に合焦させたときの縦収差図である。図９（Ａ）、（Ｂ）は実施例２のズームレンズと望遠端において無限遠物体に合焦させたときでズームレンズが０．３°傾いた状態で防振させたときの横収差図である。図１０は本発明のズームレンズを備えるカメラ（撮像装置）の要部概略図である。各実施例と参考例のズームレンズはビデオカメラやデジタルカメラ、そして銀塩フィルムカメラ等の撮像装置に用いられる撮影レンズ系である。
【００１６】
レンズ断面図において、左方が物体側（前方）で、右方が像側（後方）である。レンズ断面図において、ｉは物体側からレンズ群の順番を示し、Ｌｉは第ｉレンズ群である。図１、図４、図７のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。ここで、第４レンズ群Ｌ４は、光軸と垂直方向の成分を持つように移動して結像位置を移動させる負の屈折力の防振用の部分群（防振レンズ群）ＩＳを有している。
【００１７】
尚、屈折力とは光学的パワーのことであり、焦点距離の逆数である。ＳＰは開口絞りであり、第３レンズ群Ｌ３の物体側に配置している。ＩＰは像面であり、ビデオカメラやデジタルスチルカメラの撮影光学系として使用する際にはＣＣＤセンサやＣＭＯＳセンサなどの固体撮像素子（光電変換素子）の撮像面に、銀塩フィルム用カメラのときはフィルム面に相当する感光面が置かれる。
【００１８】
収差図においてｄ，ｇは各々ｄ線，ｇ線である。ΔＭ、ΔＳはメリディオナル像面、サジタル像面、倍率色収差はｇ線によって表している。ωは半画角、ＦｎｏはＦナンバーである。横収差図においてＹは像高である。実線はメリディオナル像面、破線はサジタル像面である。又、横収差図において横軸は瞳面上における高さである。尚、以下の各実施例と参考例において広角端と望遠端は各レンズ群が機構上光軸上を移動可能な範囲の両端に位置したときのズーム位置をいう。矢印は広角端から望遠端へのズーミングにおける各レンズ群の移動軌跡を示している。
【００１９】
図１、図４、図７の実施例１、参考例１、実施例２では広角端から望遠端へのズーミングに際して矢印の如く第１レンズ群Ｌ１は物体側へ移動している。第２レンズ群Ｌ２は第１レンズ群Ｌ１との間隔を増大しつつ移動している。第３レンズ群Ｌ３は第２レンズ群Ｌ２との間隔を減少しつつ物体側へ移動している。第４レンズ群Ｌ４は第３レンズ群Ｌ３との間隔を増大しつつ物体側へ移動している。第５レンズ群Ｌ５は第４レンズ群Ｌ４との間隔を減少しつつ物体側へ移動している。開口絞りＳＰは第３レンズ群Ｌ３と一体に移動している。尚、開口絞りＳＰはズーミングに際して、他のレンズ群と独立に移動するようにしても良い。
【００２０】
フォーカスは第２レンズ群Ｌ２を光軸方向に移動させて行っている。尚、フォーカスはズームレンズ全体又は任意の１つのレンズ群を移動させて行っても良い。各実施例と参考例において第４レンズ群Ｌ４の全部のレンズ群より防振用の部分群ＩＳを構成している。そして部分群ＩＳは、光軸と垂直方向の成分を持つように移動して、光軸と垂直方向に像を変移させてズームレンズ全体が振動したときの像ぶれを補正している。即ち防振を行っている。
【００２１】
実施例１、２において第４レンズ群Ｌ４は防振用の部分群ＩＳより構成している。参考例１において第４レンズ群Ｌ４は防振用の部分群ＩＳと負の屈折力のレンズより構成している。部分群ＩＳは正レンズと負レンズを接合した接合レンズよりなっている。尚、各実施例と参考例において第１レンズ群Ｌ１の物体側や最も像側のレンズ群の像側に屈折力の小さなレンズ群を付加しても良い。またテレコンバーターレンズやワイドコンバーターレンズ等を物体側や像側に配置しても良い。
【００２２】
次に、各実施例と参考例の特徴について説明する。一般にレンズ群を小型化するためには、レンズ外径（レンズ有効径）を小さくする必要がある。レンズ外径を小さくするためには、レンズ群に入射する光束をそのレンズ群の光入射側で充分に収斂させることが必要となる。そのために、各実施例と参考例では第２レンズ群Ｌ２の物体側に強い正の屈折力の第１レンズ群を配置している。
【００２３】
又、各実施例と参考例のズームレンズにおいては、ズーミングに際して、広角端に比べ望遠端での第３レンズ群と第４レンズ群との間隔が大きくなるように第３レンズ群と第４レンズ群を移動させている。これにより軸上光束径が増大する望遠端において、第３レンズ群Ｌ３から射出した軸上光束が収斂する距離を確保しやすくして、防振用の部分群ＩＳの小型化を容易にしている。また、各実施例と参考例のズームレンズでは、第１レンズ群Ｌ１の焦点距離をｆ１、第３レンズ群の焦点距離をｆ３とするとき、
４．３＜ｆ１／ｆ３＜６．０・・・（１）
なる条件式を満足している。
【００２４】
条件式（１）は第１レンズ群Ｌ１と第３レンズ群Ｌ３の焦点距離の比を適切に設定するものである。条件式（１）の下限値を超えて第１レンズ群Ｌ１の焦点距離が短くなると、望遠端において球面収差が増大し、その補正が困難となる。又、第３レンズ群Ｌ３の正の屈折力が弱くなり第３レンズ群Ｌ３による軸上光束の収斂作用が小さくなり過ぎるために防振用の部分群ＩＳの小型化が困難になってくる。又上限値を超えて第３レンズ群Ｌ３の正の屈折力が強くなるとズーミングに伴う球面収差の変動を小さくするのが困難となる。
【００２５】
又、望遠端においてテレフォトタイプのパワー配置とするのが難しくなり、望遠端においてＦナンバーを明るく（小さく）することが困難となる。更に好ましくは条件式（１）の数値範囲を次の如く設定するのが良い。
【００２６】
４．４＜ｆ１／ｆ３＜５．０・・・（１ａ）
各実施例と参考例の光学系において、好ましくは次の条件式のうち１以上を満足するのが良い。それによれば各条件式に対応した効果が得られる。部分群ＩＳの焦点距離をｆＩＳ、望遠端における全系の焦点距離をｆｔとする。第２レンズ群Ｌ２の焦点距離をｆ２とする。
【００２７】
このとき、
０．３＜｜ｆＩＳ／ｆｔ｜＜１．５  ・・・（２）
０．１５＜｜ｆ２／ｆｔ｜≦０．２３・・・（３）
なる条件式のうち１以上を満足するのが良い。
【００２８】
条件式（２）は、防振用の負の屈折力の部分群ＩＳの焦点距離を適切に設定するものである。条件式（２）の上限値を越えて、部分群ＩＳの負の屈折力が弱くなると、望遠端における防振敏感度を大きくするのが困難となる。又、下限値を越えて部分群ＩＳの負の屈折力が強くなりすぎると防振敏感度が大きくなりすぎて防振を精度良く行うのが困難となるので良くない。
【００２９】
条件式（３）は第２レンズ群Ｌ２の焦点距離を適切に設定するものである。条件式（３）の下限値を越えて、第２レンズ群Ｌ２の負の屈折力が強くなりすぎると、特に広角端において負の歪曲収差が増大し、補正が困難となり、又上限値を越えて第２レンズ群Ｌ２の負の屈折力が弱くなると高いズーム比を確保するのが困難となってくる。更に好ましくは条件式（２）、（３）の数値範囲を次の如く設定するのが良い。
【００３０】
０．４＜｜ｆＩＳ／ｆｔ｜＜１．４  ・・・（２ａ）
０．１８＜｜ｆ２／ｆｔ｜≦０．２３・・・（３ａ）
各実施例と参考例において、第１レンズ群Ｌ１は物体側から像側へ順に、負レンズと正レンズとを接合した接合レンズ、正レンズより構成している。
【００３１】
第２レンズ群Ｌ２は物体側から像側へ順に、負レンズ、負レンズと正レンズを接合した接合レンズ、正レンズ、負レンズより構成している。第３レンズ群Ｌ３は物体側から像側へ順に、正レンズ、負レンズと正レンズを接合した接合レンズ、正レンズと負レンズを接合した接合レンズより構成している。又は第３レンズ群Ｌ３は、物体側から像側へ順に正レンズ、負レンズと正レンズを接合した接合レンズ、正レンズより構成している。第５レンズ群Ｌ５は物体側から像側へ順に、正レンズ、正レンズと負レンズを接合した接合レンズ、正レンズより構成している。
【００３２】
以上のように各実施例と参考例によれば、大口径でありながら、振動補償（防振）のための機構を具備し、装置全体の小型化が容易で、かつ振動補償時に良好な画像を得ることができる防振機能を有したズームレンズを得ることができる。
【００３３】
次に本発明のズームレンズを撮影光学系として用いた実施例を図１０を用いて説明する。図１０において、１０は一眼レフカメラ本体、１１は本発明によるズームレンズを搭載した交換レンズである。１２は交換レンズ１１を通して得られる被写体像を記録する銀塩フィルムや被写体像を受光する固体撮像素子（光電変換素子）などの感光面である。１３は交換レンズ１１からの被写体像を観察するファインダー光学系、１４は交換レンズ１１からの被写体像を感光面１２とファインダー光学系１３に切り替えて伝送するための回動するクイックリターンミラーである。
【００３４】
ファインダーで被写体像を観察する場合は、クイックリターンミラー１４を介してピント板１５に結像した被写体像をペンタプリズム１６で正立像としたのち、接眼光学系１７で拡大して観察する。
【００３５】
撮影時にはクイックリターンミラー１４が矢印方向に回動して被写体像は感光面記録手段１２に形成される結像して記録される。このように本発明のズームレンズを一眼レフカメラ交換レンズ等の光学機器に適用することにより、高い光学性能を有した光学機器が実現できる。尚、本発明はクイックリターンミラーのないＳＬＲ（Single lens Reflex）カメラにも同様に適用することができる。また本発明のズームレンズはビデオカメラにも同様に適用することができる。
【００３６】
以上、本発明の好ましい実施形態について説明したが、本発明はこれらの実施形態に限定されず、その要旨の範囲内で種々の変形及び変更が可能である。
【００３７】
以下に、実施例１、参考例１、実施例２に各々対応する数値実施例１乃至３を示す。各数値実施例において、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれ第ｉ番目のレンズの材料のｄ線を基準とした屈折率、アッベ数を示す。ｆは焦点距離、ＦｎｏはＦナンバーである。（非球面データ）には、非球面を次式で表した場合の非球面係数を示す。
【００３８】
【数１】
0005901357.tif 000002
【００３９】
但し、
x：光軸方向の基準面からの変位量
h：光軸に対して垂直な方向の高さ
R：ベースとなる２次曲面の半径
k：円錐定数
An：ｎ次の非球面係数
なお、「Ｅ−Ｚ」の表示は「10-Z」を意味する。又前述の各条件式と数値実施例における諸数値との関係を表１に示す。
【００４０】
[数値実施例１]
単位 mm
面データ
面番号       r        d      nd         νd
1        256.516    2.00   1.84666    23.9           
2         80.205    8.58   1.77250    49.6           
3        770.556    0.15                             
4         51.899    5.86   1.80400    46.6           
5         88.386  (可変)                             
6*        96.827    0.05   1.52421    51.4           
7         61.208    1.50   1.88300    40.8           
8         16.132    8.17                             
9        -44.889    1.20   1.75500    52.3           
10         18.254    6.26   1.83400    37.2           
11        137.231    0.15                             
12         75.532    3.50   1.80518    25.4           
13       -125.489    3.69                             
14        -23.650    1.20   1.60300    65.4           
15        -49.394  (可変)                             
16(絞り)    ∞       0.34                             
17         29.857    5.16   1.49700    81.5           
18        240.448    0.15                             
19         33.821    1.60   1.83400    37.2           
20         18.930   11.32   1.49700    81.5           
21       -223.501    0.15                             
22*        73.830    8.32   1.77250    49.6           
23        -23.883    1.50   1.83400    37.2           
24        -60.570  (可変)                             
25        -74.277    4.16   1.80809    22.8           
26        -21.944    1.20   1.81600    46.6           
27*        45.883  (可変)                             
28         35.978    7.44   1.59240    68.3           
29        -55.746    0.15                             
30        148.721    4.39   1.49700    81.5           
31        -54.487    1.50   1.84666    23.9           
32         51.278    1.62                             
33*        80.176    4.48   1.85006    40.2           
34       -227.700  (可変)                             
像面        ∞   
非球面データ
第6面
K = 0.00000e+000  A 4= 1.39226e-005  A 6=-1.09653e-008  A 8=-4.33385e-012  A10= 5.30223e-014  
第22面
K = 0.00000e+000  A 4=-9.43667e-006  A 6=-1.73083e-009  A 8= 7.90583e-012  A10=-1.65238e-014  
第27面
K = 0.00000e+000  A 4=-4.95882e-006  A 6=-4.53732e-009  A 8= 3.85212e-011  A10=-1.07546e-013  
第33面
K = 0.00000e+000  A 4=-7.62804e-006  A 6=-7.21323e-009  A 8=-2.06486e-012  A10=-4.24052e-014  
各種データ
ズーム比      2.75 
広角     中間     望遠
焦点距離      24.70    36.42    67.88  
Fナンバー      2.91     2.91     2.91  
半画角（度）  41.22    30.71    17.68  
像高          21.64    21.64    21.64  
レンズ全長   164.87   172.85   196.79  
BF            39.07    44.44    54.56  
d 5            2.76    12.54    32.92  
d15           14.94     7.78     1.22  
d24            0.96     5.23    10.39  
d27           11.37     7.10     1.94  
d34           39.07    44.44    54.56  
ズームレンズ群データ
群  始面    焦点距離  
1    1     122.23  
2    6     -15.38  
3   16      26.71  
4   25     -33.77  
5   28      45.84  
【００４１】
[数値実施例２]
単位 mm
面データ
面番号       r        d      nd         νd
1       1018.919    1.80   1.84666    23.9           
2         84.890    8.21   1.83481    42.7           
3       3143.890    0.15                             
4         59.262    5.79   1.83481    42.7           
5        117.304  (可変)                             
6*        98.182    0.05   1.52421    51.4           
7         53.766    1.20   1.83481    42.7           
8         16.625    7.87                             
9        -43.505    1.00   1.77250    49.6           
10         17.574    4.72   1.83400    37.2           
11         63.101    0.15                             
12         53.147    4.51   1.80518    25.4           
13        -72.090    3.72                             
14        -20.873    1.20   1.77250    49.6           
15        -33.228  (可変)                             
16(絞り)    ∞       0.49                             
17         31.905    4.45   1.49700    81.5           
18        105.601    0.15                             
19         37.826    1.60   1.84666    23.9           
20         23.210   10.83   1.49700    81.5           
21        -68.228    0.15                             
22*        71.333    4.07   1.69680    55.5           
23       -148.072  (可変)                             
24       -269.960    5.65   1.84666    23.9           
25        -19.352    1.20   1.83400    37.2           
26         97.049    3.33                             
27        -92.477    1.30   1.83400    37.2           
28        242.849  (可変)                             
29        115.000    6.08   1.49700    81.5           
30        -44.176    0.15                             
31         90.778    6.19   1.49700    81.5           
32        -55.146    0.00                             
33        -55.146    2.00   1.84666    23.9           
34*       169.829    0.96                             
35        329.543    3.81   1.77250    49.6           
36        -87.758  (可変)                             
像面        ∞   
非球面データ
第6面
K = 0.00000e+000  A 4= 1.47329e-005  A 6=-5.50082e-009  A 8=-3.25716e-011  A10= 1.59003e-013  
第22面
K = 0.00000e+000  A 4=-8.23158e-006  A 6=-6.80915e-009  A 8= 1.43495e-012  A10=-3.20158e-014  
第34面
K = 0.00000e+000  A 4= 3.77114e-006  A 6=-7.83814e-010  A 8= 3.91683e-012  A10=-4.01873e-015  
各種データ
ズーム比      2.76 
広角     中間     望遠
焦点距離      24.70    34.88    68.18  
Fナンバー      2.91     2.91     2.91  
半画角（度）  41.22    31.81    17.61  
像高          21.64    21.64    21.64  
レンズ全長   165.79   174.26   199.67  
BF            38.47    42.81    58.00  
d 5            3.03    14.26    33.80  
d15           17.78    10.67     1.36  
d23            1.96     6.12    12.86  
d28           11.79     7.63     0.89  
d36           38.47    42.81    58.00  
ズームレンズ群データ
群  始面    焦点距離  
1    1     129.97  
2    6     -17.09  
3   16      28.36  
4   24     -41.20  
5   29      49.69  
【００４２】
[数値実施例３]
単位 mm
面データ
面番号       r        d      nd         νd
1        371.811    2.00   1.84666    23.9           
2         75.128    9.81   1.83481    42.7           
3       1977.368    0.15                             
4         56.364    5.52   1.83481    42.7           
5         96.407  (可変)                             
6*       111.475    0.05   1.52421    51.4           
7         61.920    1.50   1.88300    40.8           
8         16.594    8.08                             
9        -38.790    1.20   1.77250    49.6           
10         18.778    5.47   1.83400    37.2           
11        740.429    0.15                             
12         89.499    3.52   1.80518    25.4           
13        -81.521    3.18                             
14        -22.389    1.20   1.61800    63.3           
15        -52.289  (可変)                             
16(絞り)    ∞       0.49                             
17         29.528    4.57   1.49700    81.5           
18        104.655    0.15                             
19         31.270    1.60   1.83400    37.2           
20         18.877   12.55   1.49700    81.5           
21       -108.113    0.15                             
22*        58.016    6.59   1.72916    54.7           
23        -37.356    1.50   1.83400    37.2           
24        -80.142  (可変)                             
25       -113.873    4.06   1.80809    22.8           
26        -22.801    1.20   1.83481    42.7           
27*        47.494  (可変)                             
28         67.541    5.07   1.59240    68.3           
29        -38.417    0.15                             
30       -106.637    3.42   1.49700    81.5           
31        -30.155    1.50   1.84666    23.9           
32        206.883    4.03                             
33*       135.112    2.87   1.85006    40.2           
34       -105.539  (可変)                             
像面        ∞   
非球面データ
第6面
K = 0.00000e+000  A 4= 1.53494e-005  A 6=-5.20845e-009  A 8=-4.15827e-011  A10= 1.50211e-013  
第22面
K = 0.00000e+000  A 4=-1.09937e-005  A 6=-2.18767e-009  A 8=-1.23509e-011  A10= 3.51553e-014  
第27面
K = 0.00000e+000  A 4=-4.73774e-006  A 6= 1.89462e-009  A 8=-3.41239e-011  A10= 1.42519e-013  
第33面
K = 0.00000e+000  A 4=-4.73629e-006  A 6=-2.17487e-009  A 8= 9.92522e-012  A10=-2.20403e-014  
各種データ
ズーム比      3.22 
広角     中間     望遠
焦点距離      24.70    39.67    79.43  
Fナンバー      2.91     2.91     2.91  
半画角（度）  41.22    28.61    15.24  
像高          21.64    21.64    21.64  
レンズ全長   161.98   171.74   200.99  
BF            38.35    46.17    57.64  
d 5            2.51    14.41    39.54  
d15           17.72     7.77     0.41  
d24            1.02     5.87    10.52  
d27           10.64     5.79     1.14  
d34           38.35    46.17    57.64  
ズームレンズ群データ
群  始面    焦点距離  
1    1     122.04  
2    6     -15.92  
3   16      26.21  
4   25     -38.11  
5   28      57.05 
【００４３】
【表１】
0005901357.tif 000003
【符号の説明】
【００４４】
Ｌ１：第１レンズ群      Ｌ２：第２レンズ群      Ｌ３：第３レンズ群
Ｌ４：第４レンズ群      Ｌ５：第５レンズ群      ＳＰ：開口絞り
ＩＰ：像面      ｄ：ｄ線      ｇ：ｇ線      ｃ：ｃ線
ΔＭ：メリディオナル像面      ΔＳ：サジタル像面 
【図１】
0005901357.tif 000004
【図２】
0005901357.tif 000005
【図３】
0005901357.tif 000006
【図４】
0005901357.tif 000007
【図５】
0005901357.tif 000008
【図６】
0005901357.tif 000009
【図７】
0005901357.tif 000010
【図８】
0005901357.tif 000011
【図９】
0005901357.tif 000012
【図１０】
0005901357.tif 000013